(57)【要約】【課題】  多数の画像情報を表示する時、画像情報の間を移動するアイコンの移動位置だけでなく移動方向に関する情報をも提供することができるデジタルイメージデバイスおよびその制御方法を提供する。【解決手段】  １つの画像情報を表示部の前面に表示するシングルモードおよび前記表示部の前面を少なくとも２つの画面に分割して分割された画面数に対応する多数の画像情報を表示するマルチモードを有するデジタルイメージデバイスの制御方法において、マルチモードを選択するステップと、マルチモードが選択されると、前・現在・次の画像情報を含む多数の画像情報および現在の画像情報の下端に正方向アイコンを表示するステップ、および設けられた方向キーから表示部に表示された現在の画像情報に対して前の画像情報を表示するようにする逆方向移動信号が印加されると、多数の画像情報および前の画像情報の下端に逆方向アイコンを表示するステップを含むデジタルイメージデバイスを提供する。【選択図】      図３
2004208291.tif 000002
【特許請求の範囲】
【請求項１】
デジタルイメージを生成するデジタルイメージデバイスであって、
複数のデジタル画像および画像表示方向を指示するための少なくとも１つのアイコンを格納する少なくとも１つの格納部と、
表示のために選択されたデジタル画像を前記格納部から読み出すようにするコマンドを含むユーザー入力コマンドを受信するユーザー入力部と、
表示画面に複数の前記デジタル画像のうちの少なくとも１つを表示する表示部と、
前記格納部、前記ユーザー入力部および前記表示部と連結され、前記コマンドに応答して前記表示部を介して表示するための少なくとも１つの前記デジタル画像および前記アイコンを前記格納部から読み出すように制御し、前記格納部から読み出される前記デジタル画像を前記表示部を介して順次表示するように制御し、順次表示される前記デジタル画像のうち前記コマンドのうちの１つにより選択されるデジタル画像に移動するが、前記コマンドが次のデジタル画像および前のデジタル画像をそれぞれ選択することによって前記アイコンが正方向および逆方向のいずれか一方を示すように処理する処理部とを備えることを特徴とするデジタルイメージデバイス。
【請求項２】
前記ユーザー入力部は、前記順次表示されるデジタル画像のうち、前記次のデジタル画像および前記前のデジタル画像をそれぞれ選択するための正方向画像表示ボタンおよび逆方向画像表示ボタンを有することを特徴とする請求項１に記載のデジタルイメージデバイス。
【請求項３】
前記ユーザー入力部は、前記表示画面に１つのデジタル画像を表示するシングルモードおよび多数のデジタル画像を同時に表示するマルチモードのいずれか一方を選択するためのボタンを有することを特徴とする請求項１に記載のデジタルイメージデバイス。
【請求項４】
前記表示部は、前記表示画面に多数のデジタル画像を同時に表示するように動作することを特徴とする請求項１に記載のデジタルイメージデバイス。
【請求項５】
前記多数のデジタル画像は、前記表示画面に所定の順序で表示されることを特徴とする請求項４に記載のデジタルイメージデバイス。
【請求項６】
前記処理部は、前記コマンドにより選択された前記多数のデジタル画像のうちのいずれか１つに対応して前記アイコンを移動するが、表示された多数の前記デジタル画像のうち次に選択される画像が前記次のデジタル画像および前記前のデジタル画像のどちらであるかにより前記アイコンの方向が前記正方向および前記逆方向のいずれか一方を示すように処理することを特徴とする請求項５に記載のデジタルイメージデバイス。
【請求項７】
前記格納部に格納された画像表示方向を示すための少なくとも１つの前記アイコンは、正方向アイコンおよび逆方向アイコンを含み、少なくとも１つの前記アイコンは、前記順次表示されるデジタル画像のうち、前記コマンドにより選択されて前記表示部に表示される前記デジタル画像に近接して表示されるように前記処理部により制御されることを特徴とする請求項１に記載のデジタルイメージデバイス。
【請求項８】
前記処理部は、前記順次表示されるデジタル画像のうち、前記次のデジタル画像および前のデジタル画像が前記コマンドによりそれぞれ選択されることにより正方向アイコンおよび逆方向アイコンを表示する前記表示画面に、画像表示方向を示すための少なくとも１つの前記アイコンが選択的に回転され表示されるように処理することを特徴とする請求項１に記載のデジタルイメージデバイス。
【請求項９】
デジタル画像が順次表示可能なデジタルイメージデバイスの表示画面にデジタル画像を表示するための制御方法であって、
多数の前記デジタル画像のうち、第１のデジタル画像を選択および表示するための第１のユーザーコマンドを受信するステップと、
前記表示画面に前記第１のデジタル画像を表示するステップと、
前記第１のデジタル画像が前記選択された画像であることを示すために前記表示画面において前記第１のデジタル画像の近接した位置にアイコンを表示するステップと、
順次表示される前記デジタル画像のうち、第２のデジタル画像を選択するための第２のユーザーコマンドを受信するステップと、
順次表示される前記デジタル画像のうち、次のデジタル画像または前のデジタル画像が前記第２のユーザーコマンドにより選択されることにより正方向または逆方向を示す前記アイコンを前記第２のデジタル画像の近接した位置に表示するステップとを含むデジタル画像を表示するための制御方法。
【請求項１０】
前記デジタルイメージデバイスは、前記表示画面に順次表示される複数の前記デジタル画像を同時に表示するように動作可能であり、前記同時に表示されるデジタル画像は、少なくとも１つの前記第１および第２のデジタル画像を含み、
前記第１のデジタル画像から前記第２のデジタル画像に前記アイコンを移動するステップをさらに含むことを特徴とする請求項９に記載のデジタル画像を表示するための制御方法。
【請求項１１】
シングルモードおよびマルチモードのいずれか一方を選択するユーザーコマンドを受信するステップをさらに含み、
前記デジタルイメージデバイスは、前記シングルモードの時に、前記表示画面に前記デジタル画像のうちの１つを表示するように動作し、前記マルチモードの時に、前記表示画面に多数の前記デジタル画像を同時に表示するように動作することを特徴とする請求項１０に記載のデジタル画像を表示するための制御方法。
【請求項１２】
前記アイコンを表示するステップは、
正方向アイコンおよび逆方向アイコンを格納するステップと、
順次表示される前記デジタル画像のうち、前記第１のユーザーコマンドにより選択される前記次のデジタル画像または前記前のデジタル画像によって前記正方向アイコンおよび前記逆方向アイコンのいずれか一方を選択して表示するステップとを含むことを特徴とする請求項９に記載のデジタル画像を表示するための制御方法。
【請求項１３】
前記アイコンを表示するステップは、
方向を示す１つのアイコンを格納するステップと、
順次表示される前記デジタル画像のうち、前記第１のユーザーコマンドにより選択される前記次のデジタル画像または前記前のデジタル画像によって前記正方向アイコンおよび逆方向アイコンのいずれか一方を表示するために前記１つのアイコンを回転して表示するステップとを含むことを特徴とする請求項９に記載のデジタル画像を表示するための制御方法。
【請求項１４】
多数の画像情報が格納される第１の格納部と、
格納された多数の前記画像情報のうちの少なくとも１つを表示する表示部と、
前記表示部に表示された現在の画像情報に対して次の画像情報を表示するようにする正方向移動信号および前の画像情報を表示するようにする逆方向移動信号を印加する方向キーが設けられ、格納された前記画像情報の表示要求信号を印加するコマンド印加部と、
前記正方向移動信号に対応する正方向アイコンおよび前記逆方向移動信号に対応する逆方向アイコンが格納された第２の格納部と、
前記コマンド印加部から前記表示要求信号が印加されると、前記現在の画像情報および前記正方向アイコンが表示されるようにし、前記方向キーから前記逆方向移動信号が印加されると、前記前の画像情報および前記逆方向アイコンが表示されるように前記第１および第２の格納部を制御する制御部とを備えることを特徴とするデジタルイメージデバイス。
【請求項１５】
前記コマンド印加部は、１つの前記画像情報を前記表示部の前面に表示するシングルモードおよび前記表示部の前面を少なくとも２つの画面に分割し、分割された画面数に対応する多数の前記画像情報を表示するマルチモードのいずれかを選択するモード選択部をさらに備え、
前記モード選択部により前記マルチモードが選択されると、前記制御部は、前記現在の画像情報を含む多数の前記画像情報および前記現在の画像情報の上下左右のいずれか一端に前記正方向アイコンが表示されるようにし、前記方向キーから前記正方向移動信号が印加されると、前記次の画像情報の上下左右のいずれか一端に前記正方向アイコンが表示されるようにし、前記逆方向信号が印加されると、前記前の画像情報の上下左右のいずれか一端に前記逆方向アイコンが表示されるように処理することを特徴とする請求項１４に記載のデジタルイメージデバイス。
【請求項１６】
前記第２の格納部に格納された前記正方向アイコンおよび前記逆方向アイコンは、それぞれ正方向矢印および前記正方向矢印に対向する逆方向矢印であることを特徴とする請求項１４に記載のデジタルイメージデバイス。
【請求項１７】
１つの画像情報を表示部の前面に表示するシングルモードおよび前記表示部の前面を少なくとも２つの画面に分割し、分割された画面数に対応する多数の画像情報を表示するマルチモードを有するデジタルイメージデバイスの制御方法であって、
前記マルチモードを選択するステップと、
前記マルチモードが選択されると、前・現在・次の画像情報を含む前記多数の画像情報および前記現在の画像情報の下端に正方向アイコンを表示するステップと、
設けられた方向キーから前記表示部に表示された前記現在の画像情報に対して前記前の画像情報を表示するようにする逆方向移動信号が印加されると、前記多数の画像情報および前記前の画像情報の下端に逆方向アイコンを表示するステップとを含み、
前記正方向および前記逆方向アイコンは、互いに対向する方向を指示することを特徴とするデジタルイメージデバイスの制御方法。
【発明の詳細な説明】
【技術分野】
【０００１】
本発明は、デジタルイメージデバイスおよびその制御方法に関し、より詳しくは、多数の画像情報を表示する時、画像情報の間を移動するアイコンの移動方向を容易に識別することのできるデジタルイメージデバイスおよびその制御方法に関する。
【背景技術】
【０００２】
デジタルカメラは、撮像された被写体を記録および再生するデジタルイメージデバイスであって、代表的なものとしては、デジタルスチールカメラ（以下「ＤＳＣ」と略す）が挙げられる。ＤＳＣは、動画の記録も可能であるが、内蔵された記録媒体の容量が小さいため、主に静止画の撮影に利用されている。
【０００３】
このようなＤＳＣでは、シャッタの作動で被写体の静止画のみを撮影し、撮影された多数の静止画は、記録媒体の容量によって数十枚以上記録される。なお、記録された静止画は、ＤＳＣのＬＣＤ（液晶表示装置）のような表示装置にディスプレイされ、ユーザーは、撮影状態を確認することが可能である。
【０００４】
図１は、従来のＤＳＣに備えられた表示装置の前面に１つの画像情報が表示される場合を説明するためのものであり、図２は、従来のＤＳＣにおいて表示装置の前面に多数の画像情報が表示される場合を説明するためのものである。
【０００５】
記録媒体に記録された静止画、即ち、被写体の画像情報をＤＳＣに備えられた表示装置（ｄ）に表示する場合、ＤＳＣは、図１に示されたように、表示装置（ｄ）の前面に１つの画像情報のみを表示し、必要に応じては、図２の（ａ）に示されたように表示装置（ｄ）の前面を多数の画面に分割して多数の画像情報（ｉｍａｇｅ１〜ｉｍａｇｅ６）を表示する。特に、図２（ａ）のようにマルチ画面で多数の画像情報（ｉｍａｇｅ１〜ｉｍａｇｅ６）を表示する場合、ユーザーは、より速く画像情報の撮影状態を確認することができる。
【０００６】
この時、多数の画像情報（ｉｍａｇｅ１〜ｉｍａｇｅ６）のいずれか１つの下端には、方向を指示するアイコンが表示される。アイコンは、一種のカーソルであって、ＤＳＣに設けられた方向キーの操作により多数の画像情報（ｉｍａｇｅ１〜ｉｍａｇｅ６）の間を移動し、現在の画像情報の位置を知らせる働きをする。
【０００７】
たとえば、図２（ａ）の状態で次の画像情報を表示するために方向キー（図示せず）を操作すると、アイコンは、図２の（ｂ）に示されたように、ｉｍｅｇｅ２と表示された現在の画像情報からｉｍａｇｅ３と表示された次の画像情報の下へ移動し、次の画像情報の位置を知らせる。この時、ユーザーは、アイコンによってアイコンの移動位置および移動方向を知ることができる。
【０００８】
これに対して、図２（ｂ）の状態で次の画像情報（ｉｍａｇｅ３）の前の画像である現在の画像情報（ｉｍａｇｅ２）を表示するために所定の方向キー（図示せず）を操作すると、アイコンは、再度図２（ａ）に示されたようにｉｍａｇｅ２と表示された現在の画像情報の下へ移動する。しかし、このような場合、ユーザーは、アイコンからアイコンの移動位置を知ることはできるが、移動方向がわからないという不便さがある。即ち、現在の画像情報から前の画像情報へ移動する場合、アイコンの方向は、現在の画像情報から次の画像情報へ移動する場合と同一の方向に表示されるため、ユーザーは、現在アイコンの進行方向を知ることができない。
【特許文献１】三洋により公開された「ＫＲ０３１８７９０」によれば、画像フォルダを生成することによって画像の検索を容易に向上させるデジタルカメラが明示されている。しかし、これは、画像フォルダを生成するだけであり、画像検索の移動方向に関する方法については何等明示がない。
【発明の開示】
【発明が解決しようとする課題】
【０００９】
本発明の技術的課題は、多数の画像情報を表示する時、画像情報の間を移動するアイコンの移動位置だけでなく、移動方向に関する情報をも提供することができるデジタルイメージデバイスおよびその制御方法を提供することにある。
【課題を解決するための手段】
【００１０】
上記の課題を解決するための、本発明に係るデジタルイメージデバイスは、デジタルイメージを生成するデジタルイメージデバイスであって、複数のデジタル画像および画像表示方向を指示するための少なくとも１つのアイコンを格納する少なくとも１つの格納部と、表示のために選択されたデジタル画像を前記格納部から読み出すようにするコマンドを含むユーザー入力コマンドを受信するユーザー入力部と、表示画面に複数の前記デジタル画像のうちの少なくとも１つを表示する表示部と、前記格納部、前記ユーザー入力部および前記表示部と連結され、前記コマンドに応答して前記表示部を介して表示するための少なくとも１つの前記デジタル画像および前記アイコンを前記格納部から読み出すように制御し、前記格納部から読み出される前記デジタル画像を前記表示部を介して順次表示するように制御し、順次表示される前記デジタル画像のうち前記コマンドのうちの１つにより選択されるデジタル画像へ移動するが、前記コマンドが次のデジタル画像および前のデジタル画像をそれぞれ選択することによって前記アイコンが正方向および逆方向のいずれか一方を示すように処理する処理部とを備える。
【００１１】
より詳しくは、前記ユーザー入力部は、前記順次表示されるデジタル画像のうち前記次のデジタル画像および前記前のデジタル画像をそれぞれ選択するための正方向画像表示ボタンおよび逆方向画像表示ボタンを有する。
【００１２】
好ましくは、前記ユーザー入力部は、前記表示画面に１つのデジタル画像を表示するシングルモードおよび多数のデジタル画像を同時に表示するマルチモードのいずれか一方を選択するためのボタンを有する。
【００１３】
前記表示部は、前記表示画面に多数のデジタル画像を同時に表示するように動作し、また、前記多数のデジタル画像は、前記表示画面に所定の順序で表示される。
【００１４】
前記処理部は、前記コマンドにより選択された前記多数のデジタル画像のうちのいずれか１つに対応して前記アイコンを移動するが、表示された多数の前記デジタル画像のうち次に選択される画像が前記次のデジタル画像および前記前のデジタル画像のどちらであるかにより前記アイコンの方向が前記正方向および前記逆方向のいずれか一方を示すように処理する。
【００１５】
好ましくは、前記格納部に格納された画像表示方向を示すための少なくとも１つの前記アイコンは、正方向アイコンおよび逆方向アイコンを含み、少なくとも１つの前記アイコンは、前記順次表示されるデジタル画像のうち、前記コマンドにより選択されて前記表示部に表示される前記デジタル画像に近接して表示されるように前記処理部により制御される。
【００１６】
また、前記処理部は、前記順次表示されるデジタル画像のうち前記次のデジタル画像および前記前のデジタル画像が前記コマンドによりそれぞれ選択されることにより正方向アイコンおよび逆方向アイコンを表示する前記表示画面に、画像表示方向を示すための少なくとも１つの前記アイコンが選択的に回転され、表示されるように処理する。
【００１７】
さらに、上記の課題を解決するための、本発明に係るデジタル画像が順次表示可能なデジタルイメージデバイスの表示画面にデジタル画像を表示するための制御方法は、多数の前記デジタル画像のうち第１のデジタル画像を選択および表示するための第１のユーザーコマンドを受信するステップと、前記表示画面に前記第１のデジタル画像を表示するステップと、前記第１のデジタル画像が前記選択された画像であることを示すために前記表示画面において前記第１のデジタル画像の近接した位置にアイコンを表示するステップと、順次表示される前記デジタル画像のうち第２のデジタル画像を選択するための第２のユーザーコマンドを受信するステップと、順次表示される前記デジタル画像のうち次のデジタル画像または前のデジタル画像が前記第２のユーザーコマンドにより選択されることによって正方向または逆方向を示す前記アイコンを前記第２のデジタル画像の近接した位置に表示するステップとを含む。
【００１８】
より詳しくは、前記デジタルイメージデバイスは、前記表示画面に順次表示される複数の前記デジタル画像を同時に表示するように動作可能であり、前記同時に表示されるデジタル画像は、少なくとも１つの前記第１および第２のデジタル画像を含み、前記第１のデジタル画像から前記第２のデジタル画像に前記アイコンを移動するステップをさらに含む。
【００１９】
好ましくは、シングルモードおよびマルチモードのいずれか一方を選択するユーザーコマンドを受信するステップをさらに含み、前記デジタルイメージデバイスは、前記シングルモードの時に、前記表示画面に前記デジタル画像のうちの１つを表示するように動作し、前記マルチモードの時に、前記表示画面に多数の前記デジタル画像を同時に表示するように動作する。
【００２０】
また、前記アイコンを表示するステップは、正方向アイコンおよび逆方向アイコンを格納するステップと、順次表示される前記デジタル画像のうち前記第１のユーザーコマンドにより選択される前記次のデジタル画像または前記前のデジタル画像によって前記正方向アイコンおよび前記逆方向アイコンのいずれか一方を選択して表示するステップとを含む。
【００２１】
また、前記アイコンを表示するステップは、方向を示す１つのアイコンを格納するステップと、順次表示される前記デジタル画像のうち前記第１のユーザーコマンドにより選択される前記次のデジタル画像または前記前のデジタル画像によって前記正方向アイコンおよび逆方向アイコンのいずれか一方を表示するために前記１つのアイコンを回転して表示するステップとを含む。
【発明の効果】
【００２２】
本発明に係るデジタルイメージデバイスおよびその制御方法によれば、１つの画面を多数の画面に分割して多数の画像情報を表示する場合、配列された画像情報の間を移動する方向に応じて適応的に正方向または逆方向の移動方向を表示することにより、ユーザーがより容易に画像情報の間の移動方向を識別することができる。
【発明を実施するための最良の形態】
【００２３】
図３は、本発明の好適な実施例に係るデジタルスチールカメラを示すブロック図であり、図４は、図３の表示部に多数の画像情報が表示される場合を説明するための図である。
【００２４】
なお、図３は、マルチ画面の具現に関するＤＳＣのブロック図であって、その他の機能と関連した機能を行うブロック図の図示および説明は、省略する。
【実施例】
【００２５】
図３および図４に示されたように、本発明に係るＤＳＣ３００は、レンズ群３０５、撮像部３１０、信号処理部３１５、バッファ部３２０、コーデック部３２５、第１の格納部３３０、第２の格納部３３５、グラフィック処理部３４０、表示部３４５、コマンド印加部３５０、主格納部３５５および制御部３６０を有する。
【００２６】
レンズ群３０５は、被写体の静止画を撮影するためのもので、被写体を拡大および／または縮小する少なくとも１つのズームレンズ（図示せず）および被写体とズームレンズとの位置に応じて焦点を調節する少なくとも１つのフォーカスレンズ（図示せず）からなる。レンズ群３０５は、駆動部（図示せず）により移動され、駆動部（図示せず）は、後述の制御部３６０の制御を受ける。
【００２７】
撮像部３１０は、レンズ群３０５を透過した被写体の静止画信号を電荷結合素子を用いて電気的映像信号に変換する。
【００２８】
信号処理部３１５は、撮像部３１０から出力される電気的映像信号に含まれた雑音を除去し、映像信号の輝度レベルが一定に出力されるように利得を増幅する。
【００２９】
また、信号処理部３１５は、電気的信号に変換されたアナログ映像信号をデジタル映像信号に変換した後、デジタル処理して自動制御データを制御部３６０に出力する。自動制御データは、ＤＳＣ３００の自動焦点、自動露出、自動色温度補正および手ブレ補正などの自動制御を行うためのデータである。
【００３０】
バッファ部３２０は、ＳＤＲＡＭのような揮発性メモリであって、制御部３６０が利用する一時記憶場所である。特に、バッファ部３２０には、変換されたデジタル映像信号が仮格納される。仮格納されたデジタル映像信号は、後述のコマンド印加部３５０からの信号によって格納または削除される。
【００３１】
コーデック部３２５は、信号処理部３１５から出力されるデジタル映像信号をＪＰＥＧのような圧縮方式を用いて圧縮する。
【００３２】
第１の格納部３３０は、コーデック部３２５により圧縮された映像信号、即ち、画像情報が格納される場所であって、フラッシュメモリ、メモリスティックのような記録媒体を使用することが好ましい。
【００３３】
また、後述のコマンド印加部３５０により表示モードが選択され、画像情報に関する再生コマンド信号が入力されると、コーデック部３２５は、制御部３６０の制御下で第１の格納部３３０に格納された画像情報の圧縮を解除した後、グラフィック処理部３４０に圧縮解除された画像情報を出力する。
【００３４】
第２の格納部３３５には、画像情報と共に表示部３４５に表示される正方向アイコン（ｉｃｏｎ１）および逆方向アイコン（ｉｃｏｎ２）が格納される。たとえば、後述のモード選択部３５０ａによりマルチモードが選択されると、表示部３４５には、多数の画像情報だけでなく、多数の画像情報のうちのいずれか一方の下端には、正方向アイコン（ｉｃｏｎ１）または逆方向アイコン（ｉｃｏｎ２）が表示される。
【００３５】
正方向・逆方向アイコン（ｉｃｏｎ１，ｉｃｏｎ２）は、カーソルの一例であって、多数の画像情報の間を移動し、現在活性可能な画像情報の位置を知らせる働きをする。正方向・逆方向アイコン（ｉｃｏｎ１、ｉｃｏｎ２）は、画像情報の上下左右のいずれか一端に位置可能であり、矢印または三角形のように移動方向を示すことのできる形状を有する。また、正方向アイコン（ｉｃｏｎ１）と逆方向アイコン（ｉｃｏｎ２）は、互いに対向する方向を示す。
【００３６】
グラフィック処理部３４０は、第１の格納部３３０に格納された画像情報または第２の格納部３３５に格納された正方向または逆方向アイコン（ｉｃｏｎ１、ｉｃｏｎ２）を表示部３４５に具現可能なイメージデータとして生成する。特に、後述のコマンド印加部３５０のモード選択部３５０ａによりシングルモードまたはマルチモードが選択されると、グラフィック処理部３４０は、第１の格納部３３０に格納された画像情報および第２の格納部３３５に格納された正方向または逆方向アイコン（ｉｃｏｎ１、ｉｃｏｎ２）を合成して表示可能なイメージデータとして生成する。
【００３７】
表示部３４５は、圧縮解除された後、グラフィック処理部３４０を介して生成されたイメージデータを表示する装置であって、ＬＣＤパネルを使用することが好ましい。
【００３８】
コマンド印加部３５０は、ＤＳＣ３００で支援する機能を選択または遂行するためのコマンドを制御部３６０に発生するユーザーインターフェースである。このため、コマンド印加部３５０は、モード選択部３５０ａ、方向キー３５０ｂだけでなく、多数の数字キー、確認キーなどを含む操作ボタン（図示せず）を備える。
【００３９】
モード選択部３５０ａは、第１の格納部３３０に格納された画像情報を表示する画面表示モードを選択するためのものであって、画面表示モードには、シングルモードおよびマルチモードが設定されている。
【００４０】
シングルモードは、表示部３４５の画面全体に１つの画像情報を表示するモードであり、マルチモードは、表示部３４５の画面を分割して多数の画像情報を表示するモードである。マルチモードにおいて分割される画面数は、ユーザーが直接設定するか、または、ＤＳＣ３００の製造過程において設定されることができる。本発明では、６つの画面に分割して６つの相違した画像情報を表示する場合をあげて説明する。
【００４１】
また、モード選択部３５０ａによりマルチモードが具現されると、多数の画像情報と共に表示部３４５に表示される正方向および逆方向アイコン（ｉｃｏｎ１、ｉｃｏｎ２）のいずれか１つは、方向キー３５０ｂの操作に応じて適応的に表示部３４５に表示される。
【００４２】
現在正方向または逆方向アイコン（ｉｃｏｎ１、ｉｃｏｎ２）が位置している画像情報を選択して削除または拡大などの機能を遂行しようとすると、制御部３６０は、それに対応する機能を適応的に行うようにする。即ち、正方向または逆方向アイコン（ｉｃｏｎ１、ｉｃｏｎ２）の位置に対応する画像情報は、活性可能な状態に置かれる。
【００４３】
主格納部３５５は、ＥＥＰＲＯＭのような非揮発性メモリであって、制御部３６０の機能遂行に関連した各種制御プログラムが格納されている。
【００４４】
制御部３６０は、ユーザーのキー入力および／または選択によりコマンド印加部３５０から印加される信号、主格納部３５５に格納された各種制御プログラムおよび信号処理部３１５の自動制御データを入力され、ＤＳＣ３００の全体的な動作を適応的に制御する。
【００４５】
本発明に係る制御部３６０の動作についてより詳しく説明すると、次の通りである。以下では、説明の便宜をはかるため、初期アイコンが表示される画像情報は、現在の画像情報と、現在の画像情報の以後に格納された画像情報は、次の画像情報と、現在の画像情報の以前に格納された画像情報は、前の画像情報と称する。なお、現在の画像情報から次の画像情報を選択する方向を正方向と、現在の画像情報から前の画像情報を選択する方向を逆方向と称することとする。
【００４６】
モード選択部３５０ａの操作によりマルチモードが選択された場合、方向キー３５０ｂにより現在の画像情報（たとえば、ｉｍａｇｅ２）から次の画像情報（たとえば、ｉｍａｇｅ３）が選択され、または、現在の画像情報（ｉｍａｇｅ２）から前の画像情報（たとえば、ｉｍａｇｅ１）が選択されると、制御部３６０は、方向キー３５０ｂから印加された信号に応じて第２の格納部３３５に格納された正方向または逆方向アイコン（ｉｃｏｎ１、ｉｃｏｎ２）が表示部３４５に表示されるようにする。このような方向キー３５０ｂの操作により、ユーザーは、現在活性可能な画像情報の位置だけでなく、移動方向を知ることができるようになる。
【００４７】
移動方向は、第２の格納部３３５に格納されている相違した方向を指示する多様なカーソル（たとえば、
【００４８】
【数１】
2004208291.tif 000003
など）で示すことができる。または、単一方向を示す１つのカーソルのみを格納するが、表示部３４５における具現時、所定の角度だけ回転させて正方向または逆方向などの移動方向を示すようにグラフィック処理部３４０を制御することもできる。
【００４９】
モード選択部３５０ａの操作によりマルチモードが選択されると、表示部３４５には、図４（ａ）のような初期マルチ画面が表示される。初期マルチ画面には、現在の画像情報（ｉｍａｇｅ１）の下端に正方向アイコン（ｉｃｏｎ１）が表示される。この時、方向キー３５０ｂの操作により現在の画像情報（ｉｍａｇｅ２）から次の画像情報（ｉｍａｇｅ３）に活性可能な画像情報が変更されると、即ち、正方向移動コマンド信号が印加されると、制御部３６０は、グラフィック処理部３４０を制御して正方向アイコン（ｉｃｏｎ１）が図４（ｂ）に示された位置に表示されるようにする。この時、正方向アイコン（ｉｃｏｎ１）は、
【００５０】
【数２】
2004208291.tif 000004
のような形状で表示され、正方向アイコン（ｉｃｏｎ１）の現在位置だけでなく移動方向も表示するようになる。
【００５１】
なお、図４（ｂ）のような状態において、方向キー３５０ｂの操作により前の画像情報（ｉｍａｇｅ１）が活性可能な状態となると、即ち、逆方向移動コマンド信号が印加されると、制御部３６０は、グラフィック処理部３４０を制御して逆方向アイコン（ｉｃｏｎ２）が、図４（ｃ）に示された位置に表示されるようにする。この時、逆方向アイコン（ｉｃｏｎ２）は、
【００５２】
【数３】
2004208291.tif 000005
のような形状で表示され、逆方向アイコン（ｉｃｏｎ２）の現在位置だけでなく、移動方向も表示される。
【００５３】
前述のような方向キー３５０ｂの操作による正方向または逆方向（ｉｃｏｎ１、ｉｃｏｎ２）の表示は、マルチモードだけでなく、シングルモードにおいても具現可能である。換言すれば、グラフィック処理部３４０は、表示部３４５の前面に１つの画像情報を表示する場合にも、正方向アイコン（ｉｃｏｎ１）または逆方向アイコン（ｉｃｏｎ２）を共に合成して表示する。但し、シングルモードにおける動作は、マルチモードの場合と同様であるため、詳細な説明は、省略する。
【００５４】
以下、ＤＳＣ３００に電源が供給される場合、本発明に関連した制御部３６０の動作をより詳しく説明する。
【００５５】
図５は、図３のＤＳＣにおける画面表示制御方法を説明するためのフローチャートである。
【００５６】
図４および図５に示されたように、電源が印加されると、制御部３６０は、被写体を撮影する撮影モードであるか、第１の格納部３３０に格納された画像情報を表示部３４５に表示する表示モードであるか、を判断する（Ｓ５００）。
【００５７】
Ｓ５００のステップにおいて表示モードであると判断されると、制御部３６０は、選択された画面表示モードを確認する（Ｓ５０５）。画面表示モードには、シングルモードおよびマルチモードがあり、コマンド印加部３５０に設けられたモード選択部３５０ａによって選択および変更可能である。
【００５８】
Ｓ５０５のステップにおいてマルチモードであると確認されると、制御部３６０は、表示部３４５に表示しようとする画面の分割数を設定する（Ｓ５１０）。分割数は、ＤＳＣ３００の製造過程で設定されるか、または、別の操作ボタン（図示せず）で変更可能である。
【００５９】
本発明においては、表示部３４５の前面を６分割として６つの画像情報を同時に表示する場合を実施例として説明する。
【００６０】
画面分割数が設定されると、制御部３６０は、コーデック部３２５を制御して分割数に対応する多数の画像情報（ｉｍａｇｅ１〜ｉｍａｇｅ６）を第１の格納部３３０から読み出した後、多数の画像情報（ｉｍａｇｅ１〜ｉｍａｇｅ６）の圧縮を解除する（Ｓ５１５）。多数の画像情報（ｉｍａｇｅ１〜ｉｍａｇｅ６）は、最大６つの画像情報であって、前・現在・次の画像情報（ｉｍａｇｅ１、ｉｍａｇｅ２、ｉｍａｇｅ３）を含む。
【００６１】
また、グラフィック処理部３４０を介して圧縮解除された多数の画像情報（ｉｍａｇｅ１〜ｉｍａｇｅ６）および第２の格納部３３５に格納された正方向アイコンが表示可能なイメージデータとして生成および合成した後、図４（ａ）のように表示部３４５に表示されるようにする（Ｓ５２０）。
【００６２】
Ｓ５２０を行った後、方向キー３５０ｂの操作により正方向移動コマンド信号が印加されると（Ｓ５２５）、制御部３６０は、グラフィック処理部３４０を制御して図４（ｂ）のように正方向アイコン（ｉｃｏｎ１）が次の画像情報（ｉｍａｇｅ３）の下端に表示されるようにする（Ｓ５３０）。
【００６３】
また、方向キー３５０ｂの操作により逆方向移動コマンド信号が印加されると（Ｓ５３５）、制御部３６０は、グラフィック処理部３４０を制御して図４（ｃ）のように逆方向アイコン（ｉｃｏｎ２）が次の画像情報（ｉｍａｇｅ３）の前の画像である現在の画像情報（ｉｍａｇｅ２）の下端に表示されるようにする（Ｓ５４０）。
【００６４】
なお、Ｓ５００のステップにおいて撮影モードであると判断されると、制御部３６０は、撮影プログラムルーチンを遂行する（Ｓ５４５）。詳しくは、レンズ群３０５を介して入力される被写体の映像信号を撮像部３１０および信号処理部３１５を介して電気的映像信号に変換した後、コマンド印加部３５０から格納コマンドが印加されると、電気的映像信号を圧縮して第１の格納部３３０に格納されるようにする。
【００６５】
また、Ｓ５０５のステップにおいてシングルモードであると確認されると、制御部３６０は、コーデック部３２５を制御して第１の格納部３３０から所定の画像情報、即ち、表示部３４５に表示するための現在の画像情報（図示せず）を読み出した後、現在の画像情報（図示せず）の圧縮を解除するようにする（Ｓ５５０）。
【００６６】
また、グラフィック処理部３４０を介して圧縮解除された現在の画像情報（図示せず）および第２の格納部（３３５）に格納された正方向アイコン（ｉｃｏｎ１）が表示可能なイメージデータとして生成および合成した後、表示部３４５に表示されるようにする（Ｓ５５５）。
【００６７】
方向キー３５０ｂの操作により正方向移動コマンド信号が印加されると（Ｓ５６０）、制御部３６０は、次の画像情報（図示せず）を圧縮解除した後、正方向アイコン（ｉｃｏｎ１）と共に表示部３４５に表示するようにする（Ｓ５６５）。また、方向キー３５０ｂの操作により逆方向移動コマンド信号が印加されると（Ｓ５７０）、制御部３６０は、前の画像情報（図示せず）を圧縮解除した後、逆方向アイコン（ｉｃｏｎ２）と共に表示部３４５に表示されるようにする（Ｓ５７５）。
【００６８】
上述のようなＤＳＣ３００の制御方法において、Ｓ５３０ステップおよびＳ５６５ステップでは、正方向移動コマンド信号に応じて正方向アイコン（ｉｃｏｎ１）が表示され、Ｓ５４０ステップおよびＳ５７５ステップでは、逆方向移動コマンド信号に応じて逆方向アイコン（ｉｃｏｎ２）が表示される。これによって、ユーザーは、現在ユーザーが方向キー３５０ｂを操作して画像情報を再生および移動しようとする方向を容易に知ることができるようになる。
【００６９】
また、前述のようなアイコンの移動方向表示制御は、ＤＳＣ３００だけでなく、マルチ画面が具現可能な全ての装置において適用可能である。たとえば、ＤＳＣ３００とデジタルビデオカメラとが一体化した撮影装置があげられる。
【００７０】
また、前述のようなＤＳＣ３００の制御方法は、静止画のマルチ画面具現を例にして説明してきたが、動画が格納される記録媒体の容量が大きい場合、動画をマルチ画面として具現する場合においても適用可能である。
【産業上の利用可能性】
【００７１】
本発明は、多数の画像情報を表示する時、画像情報の間を移動するアイコンの移動位置だけでなく、移動方向に関する情報を提供することもできるデジタルイメージデバイスに利用可能である。
【図面の簡単な説明】
【００７２】
【図１】従来のデジタルスチールカメラにおいて表示装置の前面に１つの画像情報が表示された場合を説明するための図である。
【図２】従来のデジタルスチールカメラにおいて表示装置の前面に多数の画像情報が表示された場合を説明するための図である。
【図３】本発明の好適な実施例に係るデジタルスチールカメラを示すブロック図である。
【図４】図３の表示部に多数の画像情報が表示される場合を説明するための図である。
【図５】図３のデジタルスチールカメラにおける画面表示制御方法を説明するためのフローチャートである。
【符号の説明】
【００７３】
３００  ＤＳＣ
３０５  レンズ群
３１０  撮像部
３１５  信号処理部
３２０  バッファ部
３２５  コーデック部
３３０  第１の格納部
３３５  第２の格納部
３４５  表示部
３５０  コマンド印加部
３５０ａ  モード選択部
３５０ｂ  方向キー
３５５  主格納部
３６０  制御部
【図１】
2004208291.tif 000006
【図２】
2004208291.tif 000007
【図３】
2004208291.tif 000008
【図４】
2004208291.tif 000009
【図５】
2004208291.tif 000010